(57)【要約】【課題】ＳＤ素材をＨＤフォーマットにアップコンバートしたＳ−ＨＤ信号と、ＨＤ素材に基づくオリジナルＨＤ信号とを良好に判別し、それぞれに対応した良好な画質補正を行う技術を提供する。【解決手段】入力された映像信号が、ＳＤ素材をＨＤフォーマットにアップコンバートして得られた第１ＨＤ信号か、ＨＤ素材に基づく第２ＨＤ信号かを判別する判別部と、映像信号の色補正を行う色補正部と、前記該判別部での判別結果に応じて前記色補正部を制御する制御部とを備える。上記判別部は、映像信号のクロスカラー成分を検出するか、ＥＰＧ情報内の文字情報から所定のキーワードを検索して行われる。【選択図】  図１
2010259084.tif 000002
【特許請求の範囲】
【請求項１】
映像表示装置において、
入力された映像信号が、ＳＤ素材をＨＤフォーマットにアップコンバートして得られた第１ＨＤ信号か、ＨＤ素材に基づく第２ＨＤ信号かを判別する判別部と、映像信号の色補正を行う色補正部と、前記該判別部での判別結果に応じて前記色補正部を制御する制御部と、を備え、前記判別部は、映像信号とともに入力されるＥＰＧ情報に含まれる文字情報から所定のキーワードを検索する検索部を含み、該検索部の検索結果を用いて前記第１ＨＤ信号か前記第２ＨＤ信号の判別を行うことを特徴とする映像表示装置。
【請求項２】
映像表示装置において、
入力映像信号からクロスカラー成分を検出することによって、該入力映像信号がＳＤ素材の信号をＨＤフォーマットにアップコンバートして得られた第１ＨＤ信号か、ＨＤ素材に基づく第２ＨＤ信号かを判別するクロスカラー検出部と、前記映像信号の画質補正を行う画質補正部と、前記クロスカラー検出部による判別結果に応じて前記画質補正部を制御する制御部と、を備えることを特徴とする映像表示装置。
【請求項３】
請求項２に記載の映像表示装置において、更に、前記映像信号からクロスカラー成分を除去するクロスカラー除去部を更に備えることを特徴とする映像表示装置。
【請求項４】
請求項２に記載の映像表示装置において、前記クロスカラー検出部は、前記映像信号に含まれるコンポーネントの色信号から前記クロスカラー成分を検出することを特徴とする映像表示装置。
【請求項５】
請求項２に記載の映像表示装置において、前記画質補正部は、特定色相範囲にある映像信号の色相、及び／または特定色相範囲にある映像信号の彩度を補正する色補正部を含むことを特徴とする映像表示装置。
【請求項６】
請求項２に記載の映像表示装置において、前記画質補正部は、前記映像信号の輪郭部を補正する輪郭補正部を含むことを特徴とする映像表示装置。
【請求項７】
請求項３に記載の映像表示装置において、前記画質補正部は、特定色相範囲にある映像信号の色相、及び／または特定色相範囲にある映像信号の彩度を補正する色補正部を含み、該色補正部が前記クロスカラー除去部の後段に配置されることを特徴とする映像表示装置。
【請求項８】
映像表示装置において、
映像信号とともに入力されるＥＰＧ情報を用いて、入力された映像信号がＳＤ素材をＨＤフォーマットにアップコンバートして得られた第１ＨＤ信号か、ＨＤ素材に基づく第２ＨＤ信号かを判別する判別部と、前記映像信号の画質補正を行う画質補正部と、前記判別部での判別結果に応じて前記画質補正部を制御する制御部と、を備えることを特徴とする映像表示装置。
【請求項９】
請求項８に記載の映像表示装置において、前記判別部は、前記ＥＰＧ情報に含まれる文字情報から所定のキーワードを検索する検索部を含み、該検索部の検索結果を用いて前記判別を行うことを特徴とする映像表示装置。
【発明の詳細な説明】
【技術分野】
【０００１】
本発明は、例えばテレビジョン受像機等の映像表示装置に係り、特に、入力映像信号（デジタルテレビジョン放送信号）の種類に応じて画質補正を行うように構成された映像表示装置に関する。
【背景技術】
【０００２】
放送局側から送信されるデジタルテレビジョン放送信号は、様々なフォーマットのものが存在する。代表的な信号としては、総走査線数が1125本（有効走査線数1080本）のＨＤ(High definition)フォーマットの信号（以下、ＨＤ信号と呼ぶ）と、総走査線数が525本（有効走査線数480本）のＳＤ(Standard definition)フォーマットの信号（以下、ＳＤ信号と呼ぶ）とがある。
【０００３】
上記ＨＤ信号は、放送局側で総走査線数525本のＳＤ素材の信号を1125本にアップコンバートしてＨＤフォーマットに変換した信号（以下、このような信号をＳ−ＨＤ信号と呼ぶ）と、ハイビジョンカメラで撮影された映像に基づき生成された、元々ＨＤフォーマットを持つＨＤ素材の信号（以下、このような信号をオリジナルＨＤ信号と呼ぶ）とがある。このようなＳ−ＨＤ信号とオリジナルＨＤ信号とを判別するための従来技術としては、例えば下記特許文献１に開示されている。
【先行技術文献】
【特許文献】
【０００４】
【特許文献１】特開２００４−２８９７５３号公報
【発明の概要】
【発明が解決しようとする課題】
【０００５】
上記特許文献１は、Ｓ−ＨＤ信号及びオリジナルＨＤ信号は同じＨＤフォーマットであってもそれぞれ映像周波数帯域が異なっているため、これらの信号に応じた画質調整を行い得るように構成したものである。しかしながら、特許文献１には、その段落番号0005に記載されているように、画質調整としてシャープネス（輪郭補正）しか考慮されていない。Ｓ−ＨＤ信号とオリジナルＨＤ信号とは、互いに色再現範囲が異なっており、Ｓ−ＨＤはＮＴＳＣ信号と近い色再現範囲を有している。従って、Ｓ−ＨＤ信号とオリジナルＨＤ信号とで異なる色補正を加える必要があるが、特許文献１には、そのようなことについては考慮されていない。
【０００６】
また、特許文献１は、Ｓ−ＨＤ信号とオリジナルＨＤ信号とを判別する手段として、デジタルテレビジョン放送信号に付加されるAspect Ratio Informationを用いること、そして映像の左右両端に付加されたサイドパネルを検出すること、を開示している。しかしながら、上記Aspect Ratio Informationはデジタルテレビジョン放送信号に付加されていない場合が多く、そのような場合はＳ−ＨＤ信号とオリジナルＨＤ信号との判別ができない。また、映像の左右両端に付加されたサイドパネルを検出することは、図２（ａ）に示されるように、映像のアスペクト比が４：３であることが前提となる。Ｓ−ＨＤ信号には、図２の符号２０４に示されるように、映像のアスペクト比が１６：９のものも存在する。映像のアスペクト比が４：３であっても、図２の符号２０３に示されるようにサイドパネルが黒レベルではなく所定の輝度レベルを有する場合やサイドパネルが所定の画像を含む場合は、サイドパネルの検出が困難となり、当該映像は１６：９のアスペクト比率を持つものと識別される可能性がある。すなわち、特許文献１に記載の技術でＳ−ＨＤ信号とオリジナルＨＤ信号とを良好に判別することは困難である。
【０００７】
本発明は、上記の課題に鑑みて為されたものである。その第１の目的は、Ｓ−ＨＤ信号とオリジナルＨＤ信号のそれぞれに対応した良好な色補正が行い得る技術を提供することにある。また本発明の第２の目的は、Ｓ−ＨＤ信号とオリジナルＨＤ信号とを良好に判別することを可能にするための技術を提供することにある。
【課題を解決するための手段】
【０００８】
上記第１の目的を達成するための本発明に係る映像表示装置は、入力された映像信号が第１ＨＤ信号、すなわちＳ−ＨＤ信号か、第２ＨＤ信号、すなわちオリジナルＨＤ信号かを判別し、その判別結果に応じて映像信号の色補正を行う色補正部を制御することを特徴とするものである。具体的には、上記色補正部は、入力信号がＳ−ＨＤ信号のときはＳＤ材の信号に対応した第１の色設定値を用いて色補正を行い、オリジナルＨＤ信号のときはＨＤ素材の信号に対応する第２の色設定値を用いて色補正を行う。この色補正は、例えば特定色相範囲にある映像信号の色相、及び／または特定色相範囲にある映像信号の彩度を補正するものである。上記の判別は、入力されたＨＤフォーマットの信号のクロスカラー成分を検出して行ってもよいし、ＥＰＧ(電子番組ガイド)情報を用いて行ってもよい。
【０００９】
また、上記第２の目的を達成するための本発明に係る映像表示装置は、入力された映像信号からクロスカラー成分を検出するクロスカラー検出部を設け、このクロスカラー検出部からの検出情報に応じて画質補正を制御することを特徴とするものである。このクロスカラー検出部によって、例えば入力されたＨＤフォーマットの信号からクロスカラー成分を検出された場合は当該信号がＳ−ＨＤ信号と判別し、クロスカラー成分が検出されなかった場合はオリジナルＨＤ信号と判別する。
【００１０】
また、上記第２の目的を達成するための本発明に係る映像表示装置は、映像信号とともに入力されるＥＰＧ情報を用いてＳ−ＨＤ信号かオリジナルＨＤ信号かを判別し、その判別結果に応じて画質補正部制御することを別の特徴とするものである。上記の判別は、上記ＥＰＧ情報に含まれる文字情報から所定のキーワードを検索して行ってもよい。例えばその文字情報から「ハイビジョン放送」等のキーワード文字列を検索し、この文字列が含まれる番組はオリジナルＨＤとして判別してもよい。
【発明の効果】
【００１１】
本発明によれば、Ｓ−ＨＤ信号とオリジナルＨＤ信号とに応じた良好な色を得ることが可能となる、高画質な映像が表示可能となる。また、Ｓ−ＨＤ信号とオリジナルＨＤ信号との判別を良好に行うことができ、ＨＤ信号の種類に応じた適切な画質補正を行うことが可能となる。
【図面の簡単な説明】
【００１２】
【図１】本発明に係るテレビジョン受信機の一実施形態を示す図
【図２】Ｓ−ＨＤ映像の例を示す図
【図３】本実施例に用いられるフラグ信号の種類と論理を示す図
【図４】本実施例に係る画質補正制御回路における処理の一例を示す図
【図５】本実施例に係る画質補正制御回路における処理の他の例を示す図
【図６】本実施例に係る色補正の補正量の一例を示す図
【発明を実施するための形態】
【００１３】
以下、本発明を実施するための好ましい形態について、図面を参照しつつ説明する。
【００１４】
図１は、本発明に係る映像表示装置の一実施例を示すブロック図である。図１に示される映像表示装置は、デジタルテレビジョン放送信号（地上波デジタル放送、BS/CSデジタル放送信号等。以下、ＤＴＶ信号と略す）を受信して表示可能なテレビジョン受像機を例にしている。
【００１５】
ここで、ＤＴＶ信号は、例えばＭＰＥＧ形式で圧縮符号化されたデジタル映像信号を含むＭＰＥＧストリームで構成されており、次の４種類のフォーマットがある。(a)総走査線数1125本（有効走査線数1080本）のインターレース形式。(b)総走査線数750本（有効走査線数720本）の順次走査（プログレッシブ）形式。(c)総走査線数が525本（有効走査線数480本）のプログレッシブ形式。(d)総走査線数が525本（有効走査線数480本）のインターレース形式。以下の実施例の説明では、上記(a)及び(d)のフォーマットの信号を例にして説明する。また以下では、上記(a)のフォーマットのＤＴＶ信号をＨＤ信号または1125i、上記(d)のフォーマットのＤＴＶ信号をＳＤ信号または525iと呼ぶ。また上記ＭＰＥＧストリームは、様々な付加情報を含んでいる。この付加情報は、例えば、ＥＰＧ（番組電子ガイド）情報や、受信したＤＴＶ信号のフォーマット種類を示す情報、例えば受信ＤＴＶ信号が1125iであるか525iであるかを判別するためのフォーマット情報を含む。
【００１６】
また、ＨＤ信号は、上述したように２種類存在する。すなわち、放送局側で総走査線数525本のＳＤ素材の信号を1125本にアップコンバートしてＨＤフォーマットに変換したＳ−ＨＤ信号と、ハイビジョンカメラで撮影された映像に基づき生成された、元々ＨＤフォーマットを持つＨＤ素材のオリジナルＨＤ信号である。Ｓ−ＨＤ信号の形態は、例えば図２示される。すなわち、Ｓ−ＨＤ信号の形態としては、アスペクト比４：３の映像の左右両端に無画部を付加して全体的なアスペクト比を１６：９としたもの(202)、アスペクト比４：３の映像の左右両端に所定輝度レベルの映像または他の画像やデータなどを付加して全体的なアスペクト比を１６：９としたもの(203)、及び映像を水平及び垂直方向に拡大して映像自身のアスペクト比を１６：９としたもの(204)、である。
【００１７】
本実施例は、上記Ｓ−ＨＤ信号が符号２０３や２０４に示される形態の場合でも、オリジナルＨＤ信号とを識別を良好に行って適切な画質補正、特に色補正を行うものである。
その詳細について以下に説明する。
【００１８】
図１において、選局された所望チャンネルのデジタルテレビジョン放送信号は、アンテナ１０１を介して、デジタルチューナ１０２で受信される。デジタルチューナ１０２で受信されたＤＴＶ信号は、ＭＰＥＧデコーダ１０３に供給される。ＭＰＥＧデコーダ１０３は、ＤＴＶ信号を復調及び複合するとともに、映像信号と上記ＥＰＧ情報及びフォーマット情報を含む付加情報とを分離する。ＭＰＥＧデコーダ１０３で複合されたデジタル映像信号は、輝度信号Ｙ[０]、色差信号（Ｂ−Ｙ）信号（＝Ｃｂ[０]）、及び色差信号（Ｒ−Ｙ）信号（＝Ｃｒ[０]）を含むデジタルコンポーネント信号としてクロスカラー除去回路に供給される。クロスカラー除去回路１０４に動作について以下に説明する。
【００１９】
放送局側の番組コンテンツ製作過程において、一旦、ＮＴＳＣ信号やＰＡＬ信号などのアナログテレビジョン放送信号のような輝度信号Ｙと色信号Ｃとが混合されたコンポジットビデオ信号に変換される場合がある。放送局側において、例えば２次元ＹＣ分離によって上記コンポジットビデオ信号からＤＴＶ信号用のコンポーネント信号を生成する場合、絵柄によってはクロスカラー妨害が発生する。例えば、通常の映像に白い字幕が重畳されたような絵柄において、その白い字幕のエッジ部分にクロスカラー妨害が発生しやすい。またＨＤ信号は、ＳＤ素材のアナログテレビジョン放送信号、すなわちコンポジットビデオ信号をベースに作成される場合が多く、そのような場合も上記理由によりクロスカラー妨害が発生する場合がある。上記クロスカラー除去回路１０４は、このようなクロスカラー妨害を除去するものであり、すなわち上記デジタルコンポーネント信号からクロスカラー成分を取り除くように動作する。
【００２０】
具体的には、クロスカラー除去回路１０４は、まず輝度信号Ｙ[０]を用いて画素毎に動画か静止画かを画素単位で検出する。そして静止画の画素に対しては、２つの色差信号Ｃｂ[０]、Ｃｒ[０]について、それぞれ独立に、画素単位で時間方向（フレーム方向）のフィルタ処理が行われる。このフィルタ処理は、例えばある位置の画素について、連続する２つのフレームの信号を互いに加算して２で除算する処理を含む。このようなフィルタ処理によって、連続する２つのフレーム間において互いに逆方向に発生する（すなわち互いに逆極性の）クロスカラー成分が相殺され、クロスカラーが除去される。このクロスカラーが除去された色差信号Ｃｂ[１]、Ｃｒ[１]はクロスカラー除去回路１０４から色差画質補正回路１１０へ出力される。一方、輝度信号Ｙ[０]は、上記色差信号に対するクロスカラー除去処理にかかる時間と同じ時間分遅延され、輝度信号Ｙ[１]として輝度画質補正回路１０９に出力される。またクロスカラー除去回路１０４は、受信ＤＴＶ信号が静止画の場合に、連続する２つのフィールド間の差分を演算する機能を有している。その差分の結果を、クロスカラー成分に関する情報としてクロスカラー検出回路１０５に供給される。
【００２１】
クロスカラー検出回路１０５は、クロスカラー除去回路１０４からの上記差分信号について時間的な積分を行う。そして、その積分された差分信号と予め定めた閾値とを比較し、差分信号が閾値よりも小さいならば受信ＤＴＶ信号はクロスカラー成分を含まないと判定してＣフラグ信号“０”を発生する。差分信号が閾値よりも大きいならば受信ＤＴＶ信号はクロスカラー成分を含むと判定してＣフラグ信号“１”を発生する。このＣフラグ信号は、画質制御回路１０８に供給される。尚、クロスカラー検出回路１０５は、上記差分信号ではなく、クロスカラー除去回路１０４から２つの色差信号Ｃｂ[０]、Ｃｒ[０]のいずれか、またはその両方が供給されるようにしてもよい。この場合、クロスカラー検出回路１０５は、上記２つの差分信号のいずれか、もしくはその両方を用いて上記連続する２フレーム間の差分の演算及びその差分と閾値との演算の両方を行うように構成される。
【００２２】
一方、上記ＭＰＥＧデコーダ１０３で分離された付加情報は、番組情報検出回路１０７に供給される。番組情報検出回路１０７は、上記付加情報を用いて、受信ＤＴＶ信号がＨＤフォーマットかＳＤフォーマットかを判別するフォーマット判別機能と、上記ＥＰＧ情報に含まれる文字情報から予め定めた特定のキーワードを検索する検索機能とを有している。フォーマット判別機能は、付加情報に含まれるフォーマット情報を用いることで容易に実行される。例えばフォーマット情報が1125iを示すものであれば、受信ＤＴＶ信号がＨＤ信号であるとしてＶフラグ信号“０”を発生する。それ以外、例えばフォーマット情報が525iを示すものであれば、受信ＤＴＶ信号がＳＤ信号であるとしてＶフラグ信号“１”を発生して画質制御回路１０８へ出力する。また、検索機能は、上述したようにＥＰＧ情報に含まれる文字情報を用いて実行される。ＥＰＧ情報は、番組のチャンネル、番組の開始及び終了時刻、番組のタイトルの情報以外に、番組の出演者や概要を記述するための文字情報を含んでいる。この文字情報は、例えばASCIIコードで構成される。ある番組がハイビジョンカメラで撮影されたＨＤ素材のハイビジョン放送である場合には、その番組の概要を記述するための文字情報に、例えば「ハイビジョン放送」、「ハイビジョン映像」または「ＨＤ放送」等の文字列が含まれる場合がある。よって、上記検索機能は、予めハイビジョン放送に関連するキーワード、例えば「ハイビジョン」または「ＨＤ」等のキーワードを記憶しておき、この記憶されたキーワードをＥＰＧ情報に含まれる文字情報から検索する。この検索の結果、記憶されたキーワードがヒットしたならば、受信ＤＴＶ信号がオリジナルＨＤ信号であるとしてＥフラグ信号“０”を発生する。またヒットしなければ、受信ＤＴＶ信号がＳＤ信号またはＳ−ＨＤ信号であるとしてＥフラグ信号０”を発生して、画質制御回路１０８へ出力する。
【００２３】
また、ＭＰＥＧデコーダ１０３から出力された輝度信号Ｙ[０]は、クロスカラー除去回路１０４以外に、入力帯域検出回路１０７にも供給される。入力帯域検出回路１０７は、入力された輝度信号から高域信号を生成して映像周波数帯域を検出する。例えば、入力帯域検出回路１０７は、周波数成分を横軸、その出現度数（画素数）を縦軸とした、映像１フィールドもしくは１フレーム期間の周波数ヒストグラムを生成する。これにより、各周波数成分に対応する画素が、映像１フィールドもしくは１フレーム期間においてどれだけ存在するかが検出される。ところで、ＳＤ素材の信号の映像周波数帯域は約４．２ＭＨｚであり、ＨＤ素材の信号の映像周波数帯域は約８ＭＨｚである。従って、作成された周波数ヒストグラムにおいて、例えば０〜４．３ＭＨｚの周波数範囲の出現度数（画素数）が基準値よりも高く、かつ４．３ＭＨｚ以上の周波数領域の出現度数が基準値よりも低ければ、受信ＤＴＶ信号がＳ−ＨＤ信号であるとしてＦフラグ信号“１”を発生する。一方、作成された周波数ヒストグラムにおいて、例えば８ＭＨｚを中心とした所定周波数範囲の出現度数が予め定めた基準値よりも高ければ、受信ＤＴＶ信号がオリジナルＨＤ信号であるとしてＦフラグ信号“０”を発生する。このＦフラグ信号は、画質制御回路１０８に出力される。
【００２４】
上記説明したクロスカラー検出信号１０５からのＣフラグ信号、入力帯域検出回路１０６からのＦフラグ信号、番組情報検出回路１０７からのＥフラグ信号及びＶフラグ信号の発生条件を図３に纏めて示している。図３に示されるように、各フラグ信号は、各回路に入力される信号の状態に応じてその論理が決定される。
【００２５】
画質制御回路１０８は、例えばマイクロコンピュータで構成されており、上記各フラグ信号に応じて色差画質補正回路１１０及び輝度画質補正回路を制御する。この画質制御回路１０８における処理の一具体例について、図４に示されたのフローチャートに従って説明する。なお、ここでは、色差画質補正回路１１０は、入力された色差信号を用いて特定色相範囲（例えば、赤、青、緑の色相範囲）の色合い及び／または彩度（色の濃淡）を補正するカラーマネージメント機能を有するものとする。また、輝度画質補正回路１０９は入力された輝度信号に対しエンハンサ処理（輪郭補正）を行うものとする。
【００２６】
画質制御回路１０８は、まず図４のステップ１０において、Ｖフラグ信号の論理を判別する。ここでＶフラグ信号の論理が１であれば、受信ＤＴＶ信号が525iのＳＤ信号であると判定してステップ１５に進む。ステップ１５では、ＳＤ信号用の画質補正を行わせるための第１制御信号を色差画質補正回路１１０及び輝度画質補正回路に出力する。一方、Ｖフラグ信号の論理が０であれば、受信ＤＴＶ信号が1125iのＨＤ信号であると判定してステップ１１に進む。尚、ステップ１１〜１３では、受信ＤＴＶ信号がＨＤ信号のときに、それがオリジナルＨＤ信号かＳ−ＨＤ信号かを判別する処理を行う。ステップ１１では、Ｃフラグ信号の論理を判定する。ここでＣフラグ信号の論理が０であれば、受信したＨＤ信号がＨＤ素材をベースにしたＨＤ信号、すなわちオリジナルＨＤ信号と判定してステップ１４に進む。ステップ１４では、ＨＤ信号用の画質補正を行わせるための第２制御信号を色差画質補正回路１１０及び輝度画質補正回路に出力する。一方、Ｃフラグの論理が１であれば、受信ＤＴＶ信号にクロスカラー成分が存在するので、ステップ１２に進むとともにステップ１６に進む。ステップ１６では、クロスカラー除去回路１０４を動作させるように制御してクロスカラーが除去処理を行う。ステップ１２では、Ｆフラグ信号の論理を判定する。ここでＦフラグ信号の論理が０であれば受信したＨＤ信号がオリジナルＨＤ信号と判定してステップ１４に進み、上記の画質補正の制御処理を行う。一方、Ｆフラグ信号の論理が１であればステップ１３に進み、Ｅフラグ信号の論理を判定する。ここでＥフラグ信号の論理が０であれば、受信したＨＤ信号がオリジナルＨＤ信号と判定してステップ１４に進み、上記の画質補正の制御処理を行う。一方、Ｅフラグ信号の論理が１であれば、受信したＨＤ信号がＳＤ素材をアップコンバートしたＨＤ信号、すなわちＳ−ＨＤ信号と判定してステップ１５へ進み、上記の画質補正の制御処理を行う。
【００２７】
以上説明した例では、Ｖフラグ信号、Ｃフラグ信号、Ｆフラグ信号、Ｅフラグ信号の全てを用いて画質補正をＳＤ信号用にするかＨＤ信号用にするかの制御を行ったが、この全てを用いる必要はない。例えば、図５に示されるように、Ｖフラグ信号とＣフラグ信号、Ｖフラグ信号とＦフラグ信号、またはＶフラグ信号とＥフラグ信号のいずれか組み合わせで上記画質補正の制御を行ってもよい。すなわち、まず図５のステップ２１において、Ｖフラグ信号の論理を判別する。ここでＶフラグ信号の論理が１であれば、受信ＤＴＶ信号が525iのＳＤ信号であると判定してステップ２４に進む。ステップ２４では、図４に示されたステップ１５と同様な処理を行う。一方、Ｖフラグ信号の論理が０であれば、ステップ２２に進み、Ｃ、ＦまたはＥフラグ信号の論理を判定する。Ｃ、ＦまたはＥフラグ信号の論理が０であれば、受信したＨＤ信号がオリジナルＨＤ信号と判定してステップ２３に進み、図４に示されたステップ１４と同様な処理を行う。一方、ＦまたはＥフラグ信号の論理が１であれば、受信したＨＤ信号がＳ−ＨＤ信号と判定してステップ２４に進み、図４に示されたステップ１５と同様な処理を行う。尚、図５のフローチャートでは、クロスカラー除去処理については省略してある。
【００２８】
輝度補正回路１０９及び色差補正回路１１０は、画質制御回路１０８からの第１の制御信号及び第２の制御信号により制御されて画質補正を行う。本実施例における画質補正は、主として、色補正と輪郭補正の２つである。まず色補正について説明する。
【００２９】
ＳＤ素材の信号とＨＤ素材の信号は、放送局において撮影に用いられるテレビジョンカメラの違いや、信号フォーマットの違いなどにより色再現範囲が異なる。例えばＳＤ素材の信号は、ＮＴＳＣ信号に近い色再現範囲を有しており、ＨＤ素材の信号との色再現範囲とは相違している。従って、本実施例では、ＳＤ素材の信号とＨＤ素材の信号とで、それぞれ異なる色（色相／彩度）補正を行っている。その色補正量の一例を図６に示す。図６に示されるように、例えばＳＤ信号及びＳ−ＨＤ信号については、例えば３つの色相範囲を設定し、それぞれの色相範囲に対して色相と彩度の補正量を設定している。またオリジナルＨＤ信号については、例えば４つの色相範囲を設定し、それぞれの色相範囲に対して色相と彩度の補正量を設定している。
【００３０】
色補正を行うに当たり、色差補正回路１１０は、まず２つの色差信号を用いて次の数１の演算をして色相信号Ｈを求め、数２演算をして彩度信号Ｓを生成する。
（数１）Ｈ＝ｔａｎ−１(Ｃｒ／Ｃｂ) 
（数２）Ｓ＝(Ｃｂ２＋Ｃｒ２)１／２
画質制御回路１０８は、ＳＤ／Ｓ−ＨＤ信号とオリジナルＨＤ信号用の、図６に示されるような２つの色補正設定値のテーブルを有している。そして、画質制御回路１０８は受信ＤＴＶ信号がＳＤ信号またはＳ−ＨＤ信号と判別した場合は、図６の(1)のテーブルを選択して、上記第１の制御信号として、該(1)のテーブルに対応する色相範囲、色相補正量及び彩度補正量を色差補正回路１１０に出力する。色差補正回路１１０は、上記数１で求めた色相信号Ｈのうち、画質制御回路１０８から入力されたH-range1、H-range2、及びH-range3の各色相範囲内にある色相信号Ｈについて、それぞれ対応する色相補正量αＳ１、αＳ２、αＳ３を加算する。例えばH-range1の色相範囲にある色相信号Ｈに対して色相補正量αＳ１が加算される。H-range2及び3についても同様である。これにより、指定された色相範囲の色合いが補正される。更に、色差補正回路１１０は、上記数１で求めた彩度信号Ｓのうち、画質制御回路１０８から入力されたH-range1、H-range2、及びH-range3の各色相範囲内にある彩度信号Ｓについて、それぞれ対応する彩度補正量βＳ１、βＳ２、βＳ３を乗算する。例えばH-range1の色相範囲にある彩度信号Ｓに対して彩度補正量βＳ１が乗算される。H-range2及び3についても同様である。これにより、指定された色相範囲の色の濃淡が補正される。
【００３１】
尚、本実施例においては、色補正を行うための色差画質補正回路１１０は、クロスカラー除去回路１０４の後段に配置される。これによって、クロスカラー除去前に色補正が為されることが防止され、色補正によるクロスカラー除去の誤動作が防止される。
【００３２】
また、画質制御回路１０８は受信ＤＴＶ信号がオリジナルＨＤ信号と判別した場合は、図６の(2)のテーブルを選択して、上記第２の制御信号として、該(2)のテーブルに対応する色相範囲、色相補正量及び彩度補正量を色差補正回路１１０に出力する。色差補正回路１１０は、上記数１で求めた色相信号Ｈのうち、画質制御回路１０８から入力されたH-range1、H-range2、H-range3及びH-range4の各色相範囲内にある色相信号Ｈについて、それぞれ対応する色相補正量αH1、αH2、αH3、αH4を加算する。例えばH-range1の色相範囲にある色相信号Ｈに対して色相補正量αH1が加算される。H-range2〜4についても同様である。これにより、指定された色相範囲の色合いが補正される。更に、色差補正回路１１０は、上記数１で求めた彩度信号Ｓのうち、画質制御回路１０８から入力されたH-range1、H-range2、及びH-range3の各色相範囲内にある彩度信号Ｓについて、それぞれ対応する彩度補正量βH1、βH2、βH3、βH4を乗算する。例えばH-range1の色相範囲にある彩度信号Ｓに対して彩度補正量βH1が乗算される。H-range2〜4についても同様である。これにより、指定された色相範囲の色の濃淡が補正される。
【００３３】
上記の例では、色相及び彩度を補正する色相範囲は、ＳＤ／Ｓ−ＨＤ信号では３つ、オリジナルＨＤでは４つとしたが、これに限られるものではない。当然ながら、これよりも多くてもよく、また少なくともよい。また上記の例では、色相範囲の数をＳＤ／Ｓ−ＨＤ信号とオリジナルＨＤとで異ならせたが、これらを等しくしてもよい。
【００３４】
次に輪郭補正（エンハンサ）について以下説明する。一般にテレビジョン受信機では、ＳＤ素材の信号とＨＤ素材の信号とでは映像周波数帯域が異なること等から、強調したい輪郭のピーク周波数値を可変してそれぞれ最適な画質補正を行っている。映像の水平方向の輪郭（エッジ）を補正する水平エンハンサを例にすると、例えば強調したいエッジの中心周波数を、ＳＤ信号の方をＨＤ信号よりも低くする。これにより、信号の種類に応じた効果的なエッジ強調を行うことができ、映像のクッキリ感が得られる。輝度補正回路１０９は、受信ＤＴＶ信号がＳＤ信号／Ｓ−ＨＤ信号かオリジナルＨＤ信号かで、強調したいエッジの中心周波数（映像のピーク周波数）変更してエンハンサを行う。例えば、受信ＤＴＶ信号がＳＤ信号／Ｓ−ＨＤ信号であれば、ピーク周波数２．５ＭＨｚ付近の信号を強調し、オリジナルＨＤ信号であれば、ピーク周波数８ＭＨｚ付近の信号を強調する。すなわち、画質制御回路１０８は、受信ＤＴＶ信号がＳＤ信号／Ｓ−ＨＤ信号と判定した場合は、上記第１の制御信号として、ピーク周波数を約２．５ＭＨｚとするための制御信号を輝度補正回路１０９に出力する。また、受信ＤＴＶ信号がオリジナルＨＤ信号と判別した場合は、上記第２の制御信号として、ピーク周波数を約８ＭＨｚとするための制御信号を輝度補正回路１０９に出力する。
【００３５】
輝度画質補正回路１０９から出力された輝度信号Ｙ[２]と、色差画質補正回路１１０から出力された２つの色差信号Ｃｂ[２]、Ｃｒ[２]は、映像表示処理回路１１１に入力され、マトリクス変換される。このマトリクス変換によりデジタルＲＧＢ信号が生成され、表示装置１１２へ供給される。この表示装置は、例えばＰＤＰ、ＬＣＤ、ＦＥＤ等で構成されており、デジタルＲＧＢ信号に基づき映像を形成する。
【００３６】
以上のように、本実施例によれば、Ｓ−ＨＤ信号とオリジナルＨＤとの判別を良好に行うことができる。そして、Ｓ−ＨＤ信号かオリジナルＨＤかによって、適切な色補正及びエンハンサ処理を行うことができる。また、Ｓ−ＨＤ信号とオリジナルＨＤとの判別において、クロスカラー成分、入力映像信号の周波数帯域情報、番組情報を組み合わせて判別すれば、より高精度でＨＤ映像とＳＤ映像を区別することができる。
【００３７】
また、ＥＰＧ情報に含まれる時刻やチャンネル情報を用いてＳ−ＨＤ信号とオリジナルＨＤとの判別を行ってもよい。また、特定の番組がＳ−ＨＤ信号で放送される場合に、強制的に、その番組の画質をＳＤ画質かＨＤ画質にするかをユーザーに選択させることも可能である。この選択は、例えば、複数のスイッチやキーを含むユーザー登録回路に対する操作により行われる。
【００３８】
また本実施例では説明しなかったが、クロスカラー妨害ではなくドット妨害を検出してＳ−ＨＤ信号とオリジナルＨＤとの判別を行ってもよい。このドット妨害の検出は、例えば輝度信号を用いて行われる。例えば、上記クロスカラー成分の検出と同様に、入力映像が静止画の場合に、連続する２つのフレームの映像信号を互いに加算する。ドット妨害は、連続する２つのフレームにおいて互いに逆方向に発生する。このため、輝度信号がドット妨害を含んでいる場合にこれらのフレームの信号を互いに加算すれば、ドット妨害は相殺される。従って、上記加算の結果、ドット妨害の成分が所定の閾値以下の場合はドット妨害を含み、そうでない場合はドット妨害を含むものと判定すればよい。そして、例えば
ドット妨害が輝度信号に含まれている場合は、ＨＤフォーマットの受信ＤＴＶ信号はＳ−ＨＤ信号と判定し、含まれていない場合はオリジナルＨＤ信号と判定する。この判定結果を用いた画質補正の処理については、上記実施例の説明を参照されたい。また、図１の構成において、ドット妨害を除去するための回路を更に組み込んでもよい。
【符号の説明】
【００３９】
１０１…アンテナ、１０２…デジタルチューナ、１０３…ＭＰＥＧデコーダ、１０４…クロスカラー除去回路、１０５…クロスカラー検出回路、１０６…入力帯域検出回路、１０７…番組情報検出回路、１０８…画質制御回路、１０９…輝度画質補正回路、１１０…色差画質補正回路、１１１…映像表示処理回路、１１２…映像表示装置、１１３…ユーザー登録回路。
【図１】
2010259084.tif 000003
【図２】
2010259084.tif 000004
【図３】
2010259084.tif 000005
【図４】
2010259084.tif 000006
【図５】
2010259084.tif 000007
【図６】
2010259084.tif 000008